(57)【要約】【課題】  本発明は一つの保存装置で事前録音と現在録音とを行なえるようにして、コストの低減と、必要な音声の録音を確実に行なうことができるラジオ音声録音装置を得るにある。【解決手段】  ラジオ放送を受信するラジオ受信機と、このラジオ受信機で受信した音声信号を記憶・再生させることができる記憶・再生機とを備えるラジオ音声録音装置において、前記記憶・再生機は事前録音アルゴリズムで作動される事前録音と現在録音とを一つの保存装置にしたものを用いてラジオ音声録音装置を構成している。【選択図】  図２
2008233127.tif 000002
【特許請求の範囲】
【請求項１】
ラジオ放送を受信するラジオ受信機と、このラジオ受信機で受信した音声信号を記憶・再生させることができる記憶・再生機とを備えるラジオ音声録音装置において、前記記憶・再生機は事前録音アルゴリズムで作動される事前録音と現在録音とを一つの保存装置にしたものを用いたことを特徴とするラジオ音声録音装置。
【請求項２】
現在録音データを事前録音データの領域の次の位置に指定して録音するようにした保存装置を用いたことを特徴とする請求項1記載のラジオ音声録音装置。
【請求項３】
事前録音時に一定の容量の事前録音データを維持して、以前の録音データを削除できるようにした保存装置を用いることを特徴とする請求項1記載のラジオ音声録音装置。  
【発明の詳細な説明】
【技術分野】
【０００１】
本発明はラジオ放送で受信した音声信号を記憶・再生することができるラジオ音声録音装置に関する。
【背景技術】
【０００２】
従来のラジオ音声録音装置は事前録音と現在聴取中のラジオ音声の録音とを別々の保存装置に保存していた。
【０００３】
このため、事前の録音保存装置と現在の録音保存装置が必要となり、コスト高になるという欠点があった。
【特許文献１】特になし
【発明の開示】
【発明が解決しようとする課題】
【０００４】
本発明は以上のような従来の欠点に鑑み、一つの保存装置で事前録音と現在録音とを行なえるようにして、コストの低減と、必要な音声の録音を確実に行なうことができるラジオ音声録音装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はラジオ放送を受信するラジオ受信機と、このラジオ受信機で受信した音声信号を記憶・再生させることができる記憶・再生機とを備えるラジオ音声録音装置において、前記記憶・再生機は事前録音アルゴリズムで作動される事前録音と現在録音とを一つの保存装置にしたものを用いてラジオ音声録音装置を構成している。
【発明の効果】
【０００７】
以上の説明から明らかなように、本発明にあっては次に列挙する効果が得られる。
【０００８】
（１）ラジオ放送を受信するラジオ受信機と、このラジオ受信機で受信した音声信号を記憶・再生させることができる記憶・再生機とを備えるラジオ音声録音装置において、前記記憶・再生機は事前録音アルゴリズムで作動される事前録音と現在録音とを一つの保存装置にしたので、事前録音と現在録音とを一つの保存装置で行なうので、別々な保存装置を用いるものに比べ、コストの低減と小型コンパクト化を図ることができる。
【０００９】
（２）前記（１）によって、録音したいラジオ音声の頭部を聴いてから操作しても、事前録音によって頭部が録音された状態となり、確実に録音することができる。
【００１０】
（３）請求項２も前記（１）、（２）と同様な効果が得られるとともに、保存装置を効率的に使用することができる。
【００１１】
（４）請求項３も前記（１）、（２）と同様な効果が得られるとともに、効率よく保存装置を使用することができる。
【発明を実施するための最良の形態】
【００１２】
以下、図面に示す本発明を実施するための最良の形態により、本発明を詳細に説明する。
【００１３】
図１ないし図６に示す本発明を実施するための最良の第１の形態において、１は本発明のラジオ音声録音装置で、このラジオ音声録音装置1はラジオ放送をアンテナ２から受信してスピーカー３から出力するラジオ受信機４と、このラジオ受信機4で受信した音声信号を事前録音アルゴリズムで作動される事前録音と現在録音とを一つの保存装置５で保存する記憶・再生機6とで構成されている。
【００１４】
前記記憶・再生機6の保存装置５は、図２に示す事前録音アルゴリズムによって使用者が事前録音１１を設定すれば事前録音モードが作動する。
この事前録音は一定の時間間隔でブロック別データ１２で保存される。このブロック別データ１２で生成して取り除くことは事前録音と現存録音を一つの保存装置５を利用して録音することができるようにするためのことであり、保存装置５の容量制限による効率的なメモリ活用のためです。
新規に録音された事前録音のブロック別データの保存１３時には、以前に保存されたブロック別事前録音データ１２の削除１４するようにして、保存装置５のメモリ効率性を高めて、事前録音の時間制限を最大限に乗り越えるようにする。
【００１５】
現在録音１５をする前まで事前録音は持続的に繰り返し遂行される。
現在録音１５する瞬間に事前録音の停止１６をして、現存録音を保存する場所を事前録音の保存が終わった位置に指定する現在録音データ保存位置指定１７した後、現存録音１８が行なわれる。
現在録音されるのも、事前録音と同じく一定の時間間隔を含めてブロック別に録音するようにして、事前録音とブロック別録音を一つの保存装置５でできるようにしている。
【００１６】
なお、２１は外部ジャック、２２はイヤホンジャック、２３はマイク、２４は液晶ディスプレイ、２５は再生／停止ボタン、２６は早戻しボタン、２７は早送りボタン、２８はメニューボタン、２９は録音／停止ボタン、３０は保持スイッチ、３１は音量調整ダイヤル、３２は消去／予約ボタン、３３は電源／機能ボタン、３４はイヤホン／スピーカー切替スイッチ、３５は電池カバーである。
【産業上の利用可能性】
【００１７】
本発明はラジオ音声録音装置を製造する産業で利用される。
【図面の簡単な説明】
【００１８】
【図１】本発明を実施するための最良の第１の形態のブロック図。
【図２】本発明を実施するための最良の第１の形態の事前録音アルゴリズムの展開図。
【図３】本発明を実施するための最良の第１の形態の正面図。
【図４】本発明を実施するための最良の第１の形態の背面図。
【図５】本発明を実施するための最良の第１の形態の平面図。
【図６】本発明を実施するための最良の第１の形態の左側面図。
【符号の説明】
【００１９】
１：ラジオ音声録音装置、          ２：アンテナ、
３：スピーカー、                            ４：ラジオ受信機、
５：保存装置、                                ６：記憶・再生機、            
１１：事前録音、                            １２：ブロック別データ、
１３：新規事前録音ブロック別データの保存、
１４：以前のブロック別データの削除、
１５：現存録音、                            １６：事前録音の停止、
１７：現在録音データ保存位置指定、
１８：現存録音。
【図１】
2008233127.tif 000003
【図２】
2008233127.tif 000004
【図３】
2008233127.tif 000005
【図４】
2008233127.tif 000006
【図５】
2008233127.tif 000007
【図６】
2008233127.tif 000008